(57)【要約】【課題】装置を小型化し、電源オン時に本体において外部信号、または内部信号のどちらかが選択されているかを示すことのできる、ポーダブルＤＶＤプレーヤ、及び光ディスク再生装置を提供する。  【解決手段】出力切換部８に対して内部選択状態を指示し、出力端子８ａに内部信号を出力する。そして、第１の時間または第２の時間だけ、ロック式スライドスイッチ７が外部選択状態であるか、内部選択状態であるかをＯＳＤで表示する構成としたので、従来の装置のように出力端子８ａの手前に映像信号の同期を検出する同期検出回路やＯＳＤ画像を重ねた映像信号を生成するＯＳＤ画像生成回路を設けなくても、ロック式スイッチ７が外部選択状態であるか内部選択状態であるかをユーザに確認させることができる。【選択図】  図１
2006085759.tif 000002
【特許請求の範囲】
【請求項１】
本体にセットされたＤＶＤに記録されている映像および音声にかかるデータを読み取る読取手段と、
前記読取手段が読み取ったデータに基づく再生信号を生成する再生信号生成手段と、
本体に設けたロック式スイッチの状態に応じて出力端子に出力する出力信号を前記再生信号生成手段が生成した前記再生信号または、外部入力端子に接続された機器から入力された外部入力信号のいずれかに切り換える出力切換手段と、
前記出力端子に出力された出力信号を取り込んで映像を表示する表示手段と、を備えた
ポーダブルＤＶＤプレーヤにおいて、
特定の画像データを記憶する画像記憶手段と、
本体に対する動作電源の投入時に、前記ロック式スイッチの状態が前記出力端子に出力する出力信号として前記外部入力信号を選択している外部選択状態であるとき、前記切換手段に対して前記再生信号を前記出力端子に出力する切り換えを指示するとともに、前記再生信号生成手段に対して前記外部選択状態である旨を示すＯＳＤ画像を前記画像記憶手段に記憶している前記特定の画像に重ね合わせた再生信号の生成を前記再生信号生成手段に対して指示し、第１の時間経過後に、前記切換手段に対して前記外部入力信号を前記出力端子に出力する切り換えを指示する制御手段と、を備え、
また、前記制御手段は、前記ロック式スイッチの状態が前記出力端子に出力する出力信号として前記再生信号を選択している内部選択状態から前記外部入力信号を選択する外部選択状態に切り替わったタイミングが、ＤＶＤの再生中であれば、外部選択状態である旨を示すＯＳＤ画像をＤＶＤ再生画像に重ね合わせた再生信号の生成を前記再生信号生成手段に対して指示し、反対にＤＶＤの再生中でなければ、前記外部選択状態である旨を示すＯＳＤ画像を前記画像記憶手段に記憶している前記特定の画像に重ね合わせた再生信号の生成を前記再生信号生成手段に対して指示し、第２の時間経過後に、前記切換手段に対して前記外部入力信号を前記出力端子に出力する切り換えを指示するポーダブルＤＶＤプレーヤ。
【請求項２】
本体にセットされた光ディスクに記録されている映像および音声にかかるデータを読み取る読取手段と、
前記読取手段が読み取ったデータに基づく再生信号を生成する再生信号生成手段と、
本体に設けたロック式スイッチの状態に応じて出力端子に出力する出力信号を前記再生信号生成手段が生成した前記再生信号または、外部入力端子に接続された機器から入力された外部入力信号のいずれかに切り換える出力切換手段を備えた光ディスク再生装置において、
本体に対する動作電源の投入時に、前記ロック式スイッチの状態が前記出力端子に出力する出力信号として前記外部入力信号を選択している外部選択状態であるとき、前記切換手段に対して前記再生信号を前記出力端子に出力する切り換えを指示するとともに、前記再生信号生成手段に対して前記外部選択状態である旨を示すＯＳＤ画像を重ね合わせた再生信号の生成を前記再生信号生成手段に対して指示し、第１の時間経過後に、前記切換手段に対して前記外部入力信号を前記出力端子に出力する切り換えを指示する制御手段を備えた光ディスク再生装置。
【請求項３】
特定の画像データを記憶する画像記憶手段を備え、
前記制御手段は、本体に対する動作電源の投入時に、前記ロック式スイッチの状態が前記出力端子に出力する出力信号として前記外部入力信号を選択している外部選択状態であるとき、前記外部選択状態である旨を示すＯＳＤ画像を前記画像記憶手段に記憶している前記特定の画像に重ね合わせた再生信号の生成を前記再生信号生成手段に対して指示する手段である請求項２に記載の光ディスク再生装置。
【請求項４】
前記制御手段は、前記ロック式スイッチの状態が前記出力端子に出力する出力信号として前記再生信号を選択している内部選択状態から前記外部入力信号を選択する外部選択状態に切り替わったとき、前記再生信号生成手段に対して前記外部選択状態である旨を示すＯＳＤ画像を重ね合わせた再生信号の生成を前記再生信号生成手段に対して指示し、第２の時間経過後に、前記切換手段に対して前記外部入力信号を前記出力端子に出力する切り換えを指示する請求項２または３に記載の光ディスク再生装置。
【請求項５】
前記制御手段は、前記ロック式スイッチの状態が前記出力端子に出力する出力信号として前記再生信号を選択している内部選択状態から前記外部入力信号を選択する外部選択状態に切り替わったタイミングが、光ディスクの再生中であれば、外部選択状態である旨を示すＯＳＤ画像を光ディスク再生画像に重ね合わせた再生信号の生成を前記再生信号生成手段に対して指示し、反対に光ディスクの再生中でなければ、前記外部選択状態である旨を示すＯＳＤ画像を前記画像記憶手段に記憶している前記特定の画像に重ね合わせた再生信号の生成を前記再生信号生成手段に対して指示する請求項３に記載の光ディスク再生装置。
【発明の詳細な説明】
【技術分野】
【０００１】
この発明は、光ディスクを再生する光ディスク再生装置に関し、特に表示部を設け、屋外でも使用できるポーダブルＤＶＤプレーヤに関する。
【背景技術】
【０００２】
従来、ＣＤ，ＤＶＤ等の光ディスクに記録されている映像や音声を再生する光ディスク再生装置が実用化されている。また、小型の表示部を設け屋外でも使用できるポーダブルＤＶＤプレーヤも実用化されている。一般的なポーダブルＤＶＤプレーヤは、外部信号と内部信号とを切り換えるスイッチを有している。外部信号とは、外部から入力されるテレビ放送などの映像や音声にかかる信号である。内部信号とは、装置内部で再生したＤＶＤに記録されている映像や音声にかかる信号である。ユーザはこのスイッチを操作することにより、外部信号または内部信号にかかる映像、音声を選択的に出力させることができる。
【０００３】
また、ユーザが外部信号と内部信号を切り換えるときに操作する上記スイッチとして、一般的なポータブルＤＶＤプレーヤでは操作後の状態が保持されるロック式のスライドスイッチを使用し、このスイッチを本体ケースの側面に設けている。ポータブルＤＶＤプレーヤは、本体の電源がオンされたときに、上記スイッチにより本体において外部信号、または内部信号のどちらが選択されているかを、一定時間、表示部にＯＳＤで表示する構成を設けている。例えば特許文献１に記載されているように、出力端子に出力する映像信号の同期を検出する同期検出回路、および出力端子に出力する映像信号の映像にＯＳＤ画像を重ねた映像信号を生成するＯＳＤ画像生成回路を出力端子の手前に設け、本体の電源がオンされたときに、本体において外部信号、または内部信号のどちらが選択されているかを、一定時間、表示部にＯＳＤで表示している。この構成を設けている主な目的を以下に示す。
【０００４】
ユーザが、外部入力信号をポータブルＤＶＤプレーヤに接続していない状態で使用するとき、スイッチにより外部信号が選択されていると、本体にＤＶＤがセットされても、このＤＶＤに記録されている映像、音声が出力されない。また、外部信号も接続されていないので、スイッチにより選択されている外部信号による映像、音声も出力されない。言い換えればポーダブルＤＶＤプレーヤは、映像、音声を出力していない状態である。また、上述したように、外部信号と内部信号を切り換えるときに操作するスイッチが本体ケースの側面に設けられたスライドスイッチであることから、このスイッチの状態を確認せずに、ユーザが装置の故障であると勘違いする。そこで、ユーザの勘違いを防止するために、ＯＳＤ画像を利用してスイッチの状態をユーザに認識させている。
【特許文献１】実開３０５０２０５号広報
【発明の開示】
【発明が解決しようとする課題】
【０００５】
しかしながら、この従来の方式では、外部信号にも内部信号にもＯＳＤ画像が重ねられるように、出力端子に出力する映像信号の同期を検出する同期検出回路、および出力端子に出力する映像信号の映像にＯＳＤ画像を重ねた映像信号を生成するＯＳＤ画像生成回路を出力端子の手前に設けており、装置が大きく、屋外などに持ち出して使用するのが不便であるという問題があった。
【０００６】
この発明の目的は、装置を小型化し、電源オン時に本体において外部信号、または内部信号のどちらが選択されている状態であるかを示すことのできる、ポーダブルＤＶＤプレーヤ、及び光ディスク再生装置を提供することを目的とする。
【課題を解決するための手段】
【０００７】
この発明の光ディスク再生装置は、上記課題を解決するために以下の構成を備えている。
（１）本体にセットされた光ディスクに記録されている映像および音声にかかるデータを読み取る読取手段と、
前記読取手段が読み取ったデータに基づく再生信号を生成する再生信号生成手段と、
本体に設けたロック式スイッチの状態に応じて出力端子に出力する出力信号を前記再生信号生成手段が生成した前記再生信号または、外部入力端子に接続された機器から入力された外部入力信号のいずれかに切り換える出力切換手段を備えた光ディスク再生装置において、
本体に対する動作電源の投入時に、前記ロック式スイッチの状態が前記出力端子に出力する出力信号として前記外部入力信号を選択している外部選択状態であるとき、前記切換手段に対して前記再生信号を前記出力端子に出力する切り換えを指示するとともに、前記再生信号生成手段に対して前記外部選択状態である旨を示すＯＳＤ画像を重ね合わせた再生信号の生成を前記再生信号生成手段に対して指示し、第１の時間経過後に、前記切換手段に対して前記外部入力信号を前記出力端子に出力する切り換えを出力切換手段に指示する制御手段を備えている。
【０００８】
この構成では、ロック式スイッチの状態が動作電源の投入時に外部選択状態であるとき、制御手段が再生信号を出力端子に出力する切り換えを出力切換手段に指示する。出力切換手段がこの指示に従って再生信号生成手段が生成した再生信号を出力端子に出力する状態になる。また、外部選択状態である旨を示すＯＳＤ画像を重ね合わせた再生信号の生成を前記再生信号生成手段に対して指示する。再生信号生成手段がこの指示に従ってＯＳＤ画像を重ね合わせた再生信号を出力する。従って、出力端子には外部選択状態である旨を示すＯＳＤ画像を重ね合わせた再生信号が出力される。また、制御手段は、第１の時間経過後に外部入力信号を出力端子に出力する切り替えを出力切換手段に指示する。これにより出力切換手段がこの指示に従って外部入力信号を出力端子に出力する状態になる。このため、従来の装置が出力端子の手前に設けていた映像信号の同期を検出する同期検出回路、およびＯＳＤ画像を重ねた映像信号を生成するＯＳＤ画像生成回路を不要にでき、装置の小型化が図れる。また、出力切換手段を信号生成手段に接続することでＯＳＤ画像を第１の時間だけ出力し、ロック式スイッチが外部選択状態であることをユーザに確認させることができるので、ユーザが装置の故障であると勘違いするのを防ぎ、またロック式スイッチが外部選択状態であれば、第１の時間後に外部入力信号にかかる映像や音声を出力できる。
（２）特定の画像データを記憶する画像記憶手段を備え、
前記制御手段は、本体に対する動作電源の投入時に、前記ロック式スイッチの状態が前記出力端子に出力する出力信号として前記外部入力信号を選択している外部選択状態であるとき、前記外部選択状態である旨を示すＯＳＤ画像を前記画像記憶手段に記憶している前記特定の画像に重ね合わせた再生信号の生成を前記再生信号生成手段に対して指示する手段である。
【０００９】
この構成では、制御手段が動作電源の投入時にロック式スイッチの状態が外部選択状態であるとき、外部選択状態である旨を示すＯＳＤ画像を画像記憶手段に記憶している特定の画像に重ね合わせて再生信号の生成を再生信号生成手段に対して指示する。これにより、再生信号生成手段がこの指示に従って外部選択状態である旨を示すＯＳＤ画像を画像記憶手段に記憶している特定の画像に重ね合わせた再生信号を生成し出力する。このため、外部選択状態である旨を示すＯＳＤ画像が重ねられた画面がブルーバック等の単一色の画面ではないので、ユーザが見やすい。
（３）前記制御手段は、前記ロック式スイッチの状態が前記出力端子に出力する出力信号として前記再生信号を選択している内部選択状態から前記外部入力信号を選択する外部選択状態に切り替わったとき、前記再生信号生成手段に対して前記外部選択状態である旨を示すＯＳＤ画像を重ね合わせた再生信号の生成を前記再生信号生成手段に対して指示し、第２の時間経過後に、前記切換手段に対して前記外部入力信号を前記出力端子に出力する切り換えを指示する。
【００１０】
この構成では、制御手段が使用中にロック式スイッチが内部選択状態から外部選択状態に切り換えられたとき、外部選択状態である旨を示すＯＳＤ画像を重ね合わせた再生信号の生成を再生信号生成手段に対して指示する。再生信号生成手段は、この指示に従って外部選択状態である旨を示すＯＳＤ画像を重ね合わせた再生信号を出力する。また、制御手段は第２の時間経過後に、外部信号を出力端子に出力する切り換えを出力切換手段に指示する。出力切換手段がこの指示に従って外部信号を出力端子に出力する。このため、内部選択状態から外部選択状態に切り換わることをＯＳＤ画像によりユーザに確認させることができる。
（４）前記制御手段は、前記ロック式スイッチの状態が前記出力端子に出力する出力信号として前記再生信号を選択している内部選択状態から前記外部入力信号を選択する外部選択状態に切り替わったタイミングが、光ディスクの再生中であれば、外部選択状態である旨を示すＯＳＤ画像を光ディスク再生画像に重ね合わせた再生信号の生成を前記再生信号生成手段に対して指示し、反対に光ディスクの再生中でなければ、前記外部選択状態である旨を示すＯＳＤ画像を前記画像記憶手段に記憶している前記特定の画像に重ね合わせた再生信号の生成を前記再生信号生成手段に対して指示する。
【００１１】
この構成では、制御手段が使用中にロック式スイッチが内部選択状態から外部選択状態に切り換えられたとき、光ディスクの再生中であれば外部選択状態である旨を示すＯＳＤ画像を光ディスク再生画像に重ね合わせた再生信号の生成を再生信号生成手段に対して指示する。再生信号生成手段は、この指示に従って外部選択状態である旨を示すＯＳＤ画像を光ディスクの再生画像に重ね合わせた再生信号を生成し出力する。制御手段は光ディスクの再生中でなければＯＳＤ画像を画像記憶手段に記憶している特定の画像に重ね合わせた再生信号の生成を再生信号生成手段に対して指示する。再生信号生成手段は、この指示に従ってＯＳＤ画像を画像記憶手段に記憶している特定の画像に重ね合わせた再生信号成を出力する。このため、ロック式スイッチが内部選択状態から外部選択状態に切り換えられたときが光ディスクの再生中、再生中でないにかかわらず、外部選択状態である旨を示すＯＳＤ画像が重ねられた画面がブルーバック等の単一色の画面ではないので、ユーザが見やすい。
【発明の効果】
【００１２】
この発明によれば、出力端子に出力する映像信号の同期を検出する同期検出回路、および出力端子に出力する映像信号の映像にＯＳＤ画像を重ねた映像信号を生成するＯＳＤ画像生成回路を設けなくてもよいので装置を小型化できる。また、出力切換手段を信号生成手段に接続することでＯＳＤ画像を第１の時間出力し、外部選択状態であることをユーザに確認させることができるので、ユーザが装置の故障であると勘違いするのを防止できる。
【発明を実施するための最良の形態】
【００１３】
図１は、本発明の実施形態であるポーダブルＤＶＤプレーヤの構成を示すブロック図である。本発明の実施形態であるポーダブルＤＶＤプレーヤ１は、本体の動作を制御する制御部２と、本体にセットされたＤＶＤ１００に記録されているデータを読み取りその読取信号であるＲＦ信号を出力する読取部３と、前記ＲＦ信号を処理して映像と音声のデータを取り出して出力するＤＶＤ再生部４と、前記映像と音声のデータをデコードして再生映像信号および再生音声信号（以下、これらを総称して再生信号という。）を生成し、出力する再生信号生成部５と、特定の画像データを記憶する画像記憶部６と、出力端子８ａに出力する出力信号として外部入力端子９に接続された機器から入力された外部入力信号を選択する外部選択状態または出力端子８ａに出力する出力信号として再生信号を選択する内部選択状態を選択するロック式スイッチ７と、出力端子８ａに出力する出力信号を再生信号または、前記外部入力信号のいずれかに切り換える出力切換部８と、出力切換部８の出力端子８ａに出力されている映像信号に基づく映像を表示する表示部１０と、出力切換部８の出力端子８ａに出力されている音声信号に基づく音声を出力するスピーカー１１と、を備えている。
【００１４】
制御部２は、ロック式スイッチ７の状態に応じて、出力切換部８に対して再生信号または外部入力信号の一方を出力端子８ａに出力する切換を指示をする。読取部３には、周知のピックアップヘッドが設けられている。ピックアップへッドには、光源であるＬＤ、ＬＤから照射されたレーザ光を集光する対物レンズ、ＤＶＤ１００からの反射光を検出する４分割の受光素子などが設けられている。ピックアップヘッドは、公知の４分割の受光素子でＤＶＤ１００からの反射光を検出し、ＲＦ信号を出力する。ＲＦ信号はＤＶＤ１００に記録されているデータの読取信号である。読取部３は、このＲＦ信号をＲＦアンプで増幅し、ＤＶＤ再生部４に入力する。ＤＶＤ再生部４は、前記ＲＦ信号を処理して映像と音声のデータを取り出して出力する。ここで取り出されるデータは例えばＭＰＥＧでエンコードされている。
【００１５】
再生信号生成部５は例えば以下に示す３種類の映像にかかる再生信号を生成する。
１、ＤＶＤに記録されている映像データに基づく再生映像信号
２、１にアルファベットや数字などのＯＳＤ画像を重ね合わせた再生映像信号
３、オープニング画像など特定の画像に、ＯＳＤ画像を重ね合わせた再生映像信号
画像記憶部６にはアルファベットや数字などの画像データやオープニング画像などの特定の画像の画像データを記憶している。画像記憶部６に記憶されている画像データもエンコードされたデータである。ＯＳＤ画像は必要な文字の画像データを画像記憶部６から取り出して生成する。必要な文字とは、ＯＳＤ画像として表示する文字であり、例えば「ＡＵＸ」を表示するときには「Ａ」「Ｕ」「Ｘ」の３つの文字である。オープニング画像は、均一色ではなく、また、動画でも静止画でもよい。
【００１６】
ロック式スイッチ７は、スライドスイッチであり、本体側面に設けられている。出力切換部８は、電源オフ時にその時の状態を保持するスイッチであってもよいし、初期状態となるスイッチであってもよい。外部入力端子９には例えばテレビ放送などが入力される。表示部１０は、液晶モニタである。
【００１７】
次に、本発明の実施形態であるポーダブルＤＶＤプレーヤの動作について説明する。図２、３は、この実施形態のポーダブルＤＶＤプレーヤの動作を示すフローチャートである。ユーザが電源をオンすると、制御部２が出力切換部８に対して内部選択状態を指示する（Ｓ１）。これにより出力切換部８が、内部選択状態に切り換わる。出力切換部８は、電源オフ時にその時の状態を保持するスイッチであってもよいし、初期状態となるスイッチであってもよい。制御部２はロック式スイッチ７が外部選択状態状態であるかどうかを判別する（Ｓ２）。外部選択状態であれば、外部選択状態であることを示す旨のＯＳＤ画像をオープニング画像に重ね合わせた映像の再生信号の生成を再生信号生成部５に対して指示する（Ｓ３）。画像記憶部６にはアルファベットや数字などの画像データやオープニング画像の画像データを記憶している。画像記憶部６に記憶されている画像データはエンコードされたデータである。再生信号生成部５は、画像記憶部６からオープニング画像を読み出すとともに、ＯＳＤ画像として表示する文字の画像データを読み出し、制御部２から指示された映像の再生映像信号を生成し、出力する。この再生映像信号は出力端子８ａを介して表示部１０に入力される。したがって、表示部１０において、外部選択状態であることを示す旨のＯＳＤ画像をオープニング画像に重ね合わせた映像が表示される。ユーザは、この映像により、ロック式スイッチ７により外部信号が選択されていることを確認することができる。オープニング画像は、均一色ではなく、また、動画でも静止画でもよい。
【００１８】
制御部２は、第１の時間経過すると（Ｓ４）、再生信号生成部５に対して映像信号の生成停止を指示する（Ｓ５）。また、制御部２は出力切換部８に対して外部選択状態を指示する（Ｓ６）。これにより、出力切換部８が、外部選択状態に切り換わる。この第１の時間は、ロック式スイッチ７により外部信号が選択されていることをユーザに確認させることができる時間であればよく、例えば４〜５秒でよい。
【００１９】
したがって、従来の装置のように出力端子８ａの手前に映像信号の同期を検出する同期検出回路やＯＳＤ画像を重ねた映像信号を生成するＯＳＤ画像生成回路を設けなくても、電源がオンされたときにロック式スイッチ７が外部選択状態であれば、その旨を示すＯＳＤ画像を重ね合わせた映像を表示部１０に表示することができる。このため、装置を小型化が図れる。また、出力切換部８を内部選択状態にすることでＯＳＤ画像を第１の時間だけ出力し、ロック式スイッチが外部選択状態であることをユーザに確認させているので、ユーザが装置の故障であると勘違いするのを防ぎ、またロック式スイッチが外部選択状態であれば、電源オンから第１の時間経過後に外部入力信号にかかる映像や音声を出力できる。また、表示部のバックの画面がブルーバック等の単一色の画面ではないので、ユーザが見やすい。
【００２０】
制御部２は、その後ロック式スイッチ７が内部選択状態に切り換えられるか、電源がオフされるか、その他の入力が行われるのを待つ（Ｓ７，Ｓ８，Ｓ９）。電源がオフされると本処理を終了する。ＤＶＤ１００の再生開始、ＤＶＤ１００の再生停止、ボリュームアップ等の入力（その他の入力）があると、この入力に応じた処理（その他の処理）を実行し（Ｓ１０）、Ｓ７に戻る。
【００２１】
制御部２は、ロック式スイッチ７が内部選択状態に切り換えられると、出力切換部８に対して内部選択状態を指示する（Ｓ１１）。出力切替部８がこの指示にしたがって、内部選択状態に切り換わる替わる。制御部２は、現在ＤＶＤ１００の再生中であるかどうかを判別する（Ｓ１２）。ＤＶＤ１００の再生中であれば、画像信号生成部５に対して内部選択状態であることを示す旨の文字のＯＳＤ画像を再生中の映像に重ね合わせた映像信号の生成を指示する（Ｓ１３）。再生信号生成部５は、この指示にしたがって内部選択状態であることを示すＯＳＤ画像を再生中の映像に重ね合わせた再生映像信号を生成し、出力する。この再生映像信号は出力端子８ａを介して表示部１０に入力される。したがって、表示部１０において、内部選択状態であることを示す旨のＯＳＤ画像を重ね合わせた映像が表示される。ユーザは、この映像により、ロック式スイッチ７が内部選択状態に切り換わったことを確認することができる。内部選択状態であることを示す旨のＯＳＤ画像は、例えば「ＤＶＤ」である。
【００２２】
制御部２は、第２の時間経過すると（Ｓ１４）、再生信号生成部５に対してＯＳＤ画像を重ね合せた再生映像信号の生成停止を指示し（Ｓ１５）、後述するｓ２２にジャンプする。この第２の時間は、ロック式スイッチ７により内部選択状態に切り換わったことをユーザに確認させることができる時間であればよく、例えば２〜３秒でよい。第１の時間よりも短くても、ロック式スイッチを操作した直後であるので、特に問題は生じない。
【００２３】
一方、制御部２はＳ１２でＤＶＤが再生中でなければ、内部選択状態であることを示すＯＳＤ画像をオープニング画像に重ね合わせた再生映像信号の生成を再生信号生成部５に指示する（Ｓ１６）。再生信号生成部５は、この指示にしたがって内部選択状態であることを示すＯＳＤ画像をオープニング画像に重ね合わせた映像信号を生成し、出力する。この再生映像信号は出力端子８ａを介して表示部１０に入力される。したがって、表示部１０において、内部選択状態であることを示す旨のＯＳＤ画像を重ね合わせた映像が表示される。ユーザは、この映像により、ロック式スイッチ７が内部選択状態に切り換わったことを確認することができる。
【００２４】
制御部２は、第２の時間経過すると（Ｓ１７）、再生信号生成部５に対してＯＳＤ画像を重ね合せた映像信号の生成停止を指示し（Ｓ１８）、後述するｓ２２にジャンプする。      
【００２５】
また、制御部２はＳ２でロック式スイッチ７が外部選択状態でなく内部選択状態であれば、内部選択状態であることを示すＯＳＤ画像をオープニング画像に重ね合わせた映像の再生信号の生成を再生信号生成部５に対して指示する（Ｓ１９）。再生信号生成部５は、画像記憶部６からオープニング画像を読み出すとともに、ＯＳＤ画像として表示する文字の画像データを読み出し、制御部２から指示された映像の再生映像信号を生成し、出力する。この再生映像信号は出力端子８ａを介して表示部１０に入力される。したがって、表示部１０において、内部選択状態であることを示す旨のＯＳＤ画像をオープニング画像に重ね合わせた映像が表示される。ユーザは、この映像により、ロック式スイッチ７により内部信号が選択されていることを確認することができる。
【００２６】
制御部２は、第１の時間経過すると（Ｓ２０）、再生信号生成部５に対して映像信号の生成停止を指示する（Ｓ２１）。制御部２は、その後ＤＶＤの再生開始にかかる入力があるか、ロック式スイッチが外部選択状態に切り換えられるか、電源がオフされるか、その他の入力が行われるのを待つ（Ｓ２２，Ｓ２３，ｓ２４，Ｓ２５）。電源がオフされると本処理を終了する。ＤＶＤの再生にかかる入力あるとＤＶＤの再生を開始し（Ｓ２６）、Ｓ２２に戻る。また、ボリュームアップ等の入力（その他の入力）があると、この入力に応じた処理（その他の処理）を実行し（Ｓ２７）、Ｓ２２に戻る。制御部２は、ロック式スイッチ７が外部選択状態に切り換えられると、ＤＶＤ１００が再生中であるかどうかを判別する（Ｓ２８）。ＤＶＤ１００が再生中であれば、外部選択状態であることを示すＯＳＤ画像を現在再生中のＤＶＤ１００の映像に重ね合わせた映像の再生映像信号の生成を再生信号生成部５に指示する（Ｓ２９）。再生信号生成部５は、この指示にしたがって外部選択状態であることを示すＯＳＤ画像を現在再生中のＤＶＤ１００の映像に重ね合わせた再生映像信号を生成し、出力する。この再生映像信号は出力端子８ａを介して表示部１０に入力される。したがって、表示部１０において、外部選択状態であることを示す旨のＯＳＤ画像を重ね合わせた映像が表示される。ユーザは、この映像により、ロック式スイッチ７が外部選択状態に切り換わったことを確認することができる。
【００２７】
制御部２は、第２の時間経過すると（ｓ３０）、再生信号生成部５に対してＯＳＤ画像を重ね合せた映像信号の生成停止を指示し（Ｓ３１）、ｓ６に戻って出力切換部８に対して外部選択状態を指示する。これにより、出力切換部８が、外部選択状態に切り換わる。ｓ３１では、ＤＶＤ１００の再生は停止されず、継続される。
【００２８】
また、Ｓ２８でＤＶＤ１００が再生中でない場合、例えばテレビ放送などを見るために本体の電源をオンしたが、電源オン時にロック式スイッチ７が内部選択状態であった場合、外部選択状態であることを示すＯＳＤ画像をオープニング画像に重ね合わせた映像を映像信号の生成を再生信号生成部５に指示する（Ｓ３２）。再生信号生成部５は、この指示にしたがって外部選択状態であることを示すＯＳＤ画像をオープニング画像に重ね合わせた再生映像信号を生成し、出力する。この再生映像信号は出力端子８ａを介して表示部１０に入力される。したがって、表示部１０において、外部選択状態であることを示す旨のＯＳＤ画像を重ね合わせた映像が表示される。ユーザは、この映像により、ロック式スイッチ７が外部選択状態に切り換わったことを確認することができる。
【００２９】
制御部２は、第２の時間経過すると（ｓ３３）、再生信号生成部５に対してＯＳＤ画像を重ね合せた映像信号の生成停止を指示し（Ｓ３４）、ｓ６に戻って出力切換部８に対して外部選択状態を指示する。これにより、出力切換部８が、外部選択状態に切り換わる。
【００３０】
このように、この実施形態のポータブルＤＶＤプレイヤ１は、電源オン時や、ロック式スライドスイッチ７が切り換えられたとき、このスライドスイッチ７の状態にかかわらず、出力切換部８に対して内部選択状態を指示し、出力端子８ａに内部信号を出力する。そして、第１の時間または第２の時間だけ、ロック式スライドスイッチ７が外部選択状態であるか、内部選択状態であるかをＯＳＤで表示する構成としたので、従来の装置のように出力端子８ａの手前に映像信号の同期を検出する同期検出回路やＯＳＤ画像を重ねた映像信号を生成するＯＳＤ画像生成回路を設けなくても、ロック式スイッチ７が外部選択状態であるか内部選択状態であるかをユーザに確認させることができる。このため、装置を小型化が図れる。
【図面の簡単な説明】
【００３１】
【図１】本発明の実施形態であるポーダブルＤＶＤプレーヤの構成を示すブロック図である。
【図２】本発明の実施形態のポーダブルＤＶＤプレーヤの動作を示すフローチャートである。
【図３】本発明の実施形態のポーダブルＤＶＤプレーヤの動作を示すフローチャートである。
【符号の説明】
【００３２】
１−ポーダブルＤＶＤプレーヤ
２−制御部
３−読取部
４−ＤＶＤ再生部
５−再生信号生成部
６−画像記憶部
７−ロック式スイッチ
８−出力切換部
８ａ−出力端子
９−外部入力端子
１０−表示部
１１−スピーカー
【図１】
2006085759.tif 000003
【図２】
2006085759.tif 000004
【図３】
2006085759.tif 000005